(57)【要約】【課題】釣針の金属部が露出して釣り糸と接して、釣り糸が擦り切れるのを確実に防止可能とする。【解決手段】液状の合成樹脂の中に、釣針の軸部１側を挿入することによって、釣針の軸部１と軸端側全体を、金属部分が露出して釣り糸と接しないように合成樹脂膜５でコーティングする。【選択図】          図１
2004187612.tif 000002
【特許請求の範囲】
【請求項１】
釣針の釣り糸の結び部分となる軸部と軸部端側全体を、金属部分が露出して釣り糸と接しないように全体的に合成樹脂膜でコーティングしてなることを特徴とする釣針。
【請求項２】
液状の合成樹脂の中に、釣針の軸部端側を挿入することで前記のコーティングがされていることを特徴とする請求項１に記載の釣針。
【請求項３】
釣針の軸部と軸部端側全体を、液状の合成樹脂の中に挿入してから引き揚げることで、合成樹脂膜をコーティングすることを特徴とする釣針の被膜形成方法。
【請求項４】
釣針の軸部にコーティングした合成樹脂膜の上から釣り糸を巻き付けて結んでなることを特徴とする釣針。
【発明の詳細な説明】
【０００１】
【産業上の利用分野】
本発明は、例えばマグロなどを釣る際に使用する釣針、特に釣針の釣り糸を結んで連結する部分に関する。
【０００２】
【従来の技術】
釣針の軸部にナイロン糸などの釣り糸を結び付ける際に、金属製の軸部に直接に釣り糸を巻き付けて結ぶことが多いが、マグロなどのように重量のある大型の魚が釣れた場合には、釣り糸が釣針の金属部分と接触して摩擦で擦り切れる場合が大きい。
【０００３】そこで、特開昭５９−１３６９６１号公報や実開平１−１２７４６２号公報などに記載されているように、釣針の釣り糸を結び付ける部分すなわち軸部を合成樹脂製のチューブに挿入して、釣針の軸部に合成樹脂製のチューブを被せることが行われている。
【０００４】
【発明が解決しようとする課題】
ところが、釣り糸を釣針に連結する場合の結び方にはいろいろ有り、また釣針の軸部端側の形状もいろいろである。そのため、合成樹脂チューブを被せても、釣針の金属部が部分的に露出して釣り糸と接するために、釣り糸が擦り切れるといった問題を完全には解消できない。
【０００５】したがって、釣針における釣針を巻き付けて結ぶ部分を全部完全に被覆して、釣針の金属部が露出するのを完全に防止して、釣り糸と接するのを未然に防止可能とすることが望まれる。
【０００６】本発明の技術的課題は、このような問題に着目し、釣針の金属部が露出して釣り糸と接するのを確実に防止可能することにある。
【０００７】
【課題を解決するための手段】
本発明の技術的課題は次のような手段によって解決される。請求項１は、釣針の釣り糸の結び部分となる軸部と軸部端側全体を、金属部分が露出して釣り糸と接しないように全体的に合成樹脂膜でコーティングしてなることを特徴とする釣針である。
【０００８】このように、釣針の釣り糸の結び部分となる軸部と軸部端側全体を、金属部分が露出して釣り糸と接しないように全体的に合成樹脂膜でコーティングしてあるため、釣った魚を引き揚げる際に、釣り糸が釣針の金属部分と接して擦り切れてしまうといった問題が解消される。
【０００９】請求項２は、液状の合成樹脂の中に、釣針の軸部端側を挿入することで前記のコーティングがされていることを特徴とする請求項１に記載の釣針である。
【００１０】このように、液状の合成樹脂の中に、釣針の軸部端側を挿入することで前記のコーティングがされているため、釣り糸の結び部分となる軸部と軸部端側全体が完全に合成樹脂で被覆されていることになる。そのため、釣り糸と接する恐れの有る部分は全体的に合成樹脂で被覆され、金属部は全く露出しないことになる。その結果、釣り糸が釣針の金属部と接して擦り切れるといった問題は全く発生しなくなる。
【００１１】請求項３は、釣針の軸部と軸部端側全体を、液状の合成樹脂の中に挿入してから引き揚げることで、合成樹脂膜をコーティングすることを特徴とする釣針の被膜形成方法である。
【００１２】このように、釣針の軸部と軸部端側全体を、液状の合成樹脂の中に挿入してから引き揚げることで、合成樹脂膜をコーティングする被膜形成方法によると、釣針の軸部側を液状の合成樹脂の中に挿入してから引き揚げるだけで足りるので、釣針の軸部側を合成樹脂で被覆する処理を極めて容易に行なうことができる。従来のように釣針の軸部に合成樹脂チューブを被せる作業は危険を伴うし、作業が面倒であるが、液状の合成樹脂の中に挿入してから引き揚げる作業は至って簡単である。
【００１３】請求項４は、釣針の軸部にコーティングした合成樹脂膜の上から釣り糸を巻き付けて結んでなることを特徴とする釣針である。このように、釣針の軸部にコーティングした合成樹脂膜の上から釣り糸を巻き付けて結んでなる釣針は、釣針の釣り糸連結部分や軸端側全体が合成樹脂膜で被覆されていて、金属部分が露出しないため、釣った魚が激しい動きをしても、釣り糸が釣針の金属部分と接して擦り切れてしまうといった問題を未然に防止できる。
【００１４】
【発明の実施の形態】
次に本発明による釣針が実際上どのように具体化されるか実施形態を説明する。図１は従来の釣針と本発明による釣針を比較して示す断面図であり、（１）はは従来例、（２）が本発明による釣針である。
【００１５】（１）のように、従来の釣針の場合は、釣り糸を結びつけて連結する軸部１を合成樹脂製のチューブ２に挿入して、合成樹脂チューブ２を被せてある。そして、図２、図３のように、この合成樹脂チューブ２の上から釣り糸４１を巻き付けて結び付けることによって、釣り糸４を連結する。ところが、軸部１の先端に抜け止め用の瘤部３があるため、この瘤部３には合成樹脂チューブ２を被せることができず、瘤部３は露出することになる。
【００１６】そのため、図２（１）のように釣り糸４１を巻き付けて連結した状態では、釣った魚が激しく暴れたりした際に、この瘤部３が釣り糸４と接して、釣り糸４が擦り切れてしまうことがある。
【００１７】これに対し本発明の場合は、図１（２）のように、釣針の釣り糸連結部となる軸部１や軸端側の全体が合成樹脂の皮膜５で被覆されている。すなわち、瘤部３も被覆されているため、針部分６以外は全部完全に合成樹脂皮膜５で被覆されていることになる。
【００１８】したがって、図２（２）のように、釣り糸４１を巻き付けて連結した状態でも、この瘤部３は合成樹脂皮膜５で被覆されていて、瘤部３が直接に釣り糸４と接することはあり得ない。したがって、釣った魚が暴れたりしても、釣り糸４が釣針の金属部分と接して擦り切れてしまうといった問題は発生しない。
【００１９】釣針の軸端側は、釣り糸の抜け防止のために、瘤３の他にも、種々の形状が工夫されている。図３のようなＴ字状も有れば、図４のような孔開き形状もある。図３のようなＴ字状の抜け止め形状の場合も、（１）のように、従来の釣針の場合は、抜け止め用のＴ字部分７には合成樹脂チューブ２を被せることは出来ないが、本発明のように、合成樹脂の皮膜５を形成する場合は、Ｔ字状の部分７も全体的に合成樹脂の皮膜５で覆われる。
【００２０】そのため、釣った魚がどのような動きをしても、Ｔ字状部分７が露出していないため、釣針のＴ字状部分７が釣り糸と接して、釣り糸が擦り切れてしまうといった問題は発生しない。
【００２１】図４のように孔８が空いた形状の場合は、この孔８中に釣り糸４を通すことによって、釣り糸をより確実かつ安定よく連結できるが、（１）のような従来の手法で合成樹脂チューブ２を被せても、孔８の部分は露出してしまう。
【００２２】ところが、図４（２）のように、本発明による合成樹脂皮膜５で被覆した場合は、孔８の内面も全部皮膜５で覆われるため、孔８の金属部分が露出することもない。したがって、この皮膜５で覆われた孔８の中に釣り糸を通しても、釣り糸が孔８の金属部分と接することはない。そのため、孔８の部分に挿通した釣り糸が孔８の金属部分と接して擦り切れる恐れもない。
【００２３】このように、釣針の針部分６を避けて、釣り糸を連結する軸部１と軸端側全体に合成樹脂の皮膜５を形成するには、液状の合成樹脂を軸部１と軸端側全体にスプレイしたり、液状の合成樹脂の中に軸部１と軸端側全体を挿入して浸漬してもよい。
【００２４】図５（１）は、釣針を逆さにして、液状の合成樹脂９の中に釣針の軸部１と軸端側全体を挿入している状態である。このように、液状の合成樹脂９の中に釣針の軸部１と軸端側全体を挿入した後、直ちに引き揚げると、軸部１と軸端側全体の表面に液状の合成樹脂が膜状に付着したままとなるため、それを乾燥させると、図５（２）の状態となる。
【００２５】このように、液状の合成樹脂９の中に釣針の軸部１と軸端側全体を挿入して液状の合成樹脂を付着させる方法によると、図４のような孔８が開いている場合でも、あるいは種々の複雑な抜け止めが形成されている場合でも、釣針の針部６以外の金属部分が露出しないように、全体的に確実に液状の合成樹脂皮膜５を形成することができる。
【００２６】軸部１を液状の合成樹脂９の中に１回挿入しただけでは、皮膜５の厚さが薄い場合は、半乾燥の状態で再度挿入して、半乾燥した皮膜の上に再度液状の合成樹脂を付着させると、合成樹脂皮膜５を厚く形成することができる。液状の合成樹脂９の濃度を高くして粘性を高くすると、皮膜５を厚めに形成できる。逆に希釈して、液状の合成樹脂９の濃度を低くすると、粘性が低くなるので、皮膜５を薄くできる。
【００２７】また、軸部１を液状の合成樹脂９の中に挿入してから引き揚げた際に、図５（２）のように、軸部１を下側にして乾燥させると、液状の合成樹脂９の自重によって、軸部１の下端に付着する量が多くなり、その結果、合成樹脂皮膜５を厚めに形成できる。
【００２８】このように、軸部１の先端の抜け止め部３(7、8)を下向きにして液状の合成樹脂を乾燥させることによって、抜け止め部３(7、8)のみ皮膜５を厚めに形成しておくと、釣り糸が擦れても、皮膜５の膜厚が厚いため、耐久性がより向上する。
【００２９】なお、２回塗布する場合は、１回目の液状の合成樹脂９の濃度と２回目の液状の合成樹脂９の濃度を変えることもできる。この方法によると、１回目の塗布膜と２回目の塗布膜の膜厚を変えることができる。
【００３０】
【発明の効果】
請求項１のように、釣針の釣り糸の結び部分となる軸部と軸部端側全体を、金属部分が露出して釣り糸と接しないように全体的に合成樹脂膜でコーティングしてあるため、釣った魚を引き揚げる際に、釣り糸が釣針の金属部分と接して擦り切れてしまうといった問題が解消される。
【００３１】請求項２のように、液状の合成樹脂の中に、釣針の軸部端側を挿入することで前記のコーティングがされているため、釣り糸の結び部分となる軸部と軸部端側全体が完全に合成樹脂で被覆されていることになる。そのため、釣り糸と接する恐れの有る部分は全体的に合成樹脂で被覆され、金属部は全く露出しないことになる。その結果、釣り糸が釣針の金属部と接して擦り切れるといった問題は全く発生しなくなる。
【００３２】請求項３のように、釣針の軸部と軸部端側全体を、液状の合成樹脂の中に挿入してから引き揚げることで、合成樹脂膜をコーティングする被膜形成方法によると、釣針の軸部側を液状の合成樹脂の中に挿入してから引き揚げるだけで足りるので、釣針の軸部側を合成樹脂で被覆する処理を極めて容易に行なうことができる。従来のように釣針の軸部に合成樹脂チューブを被せる作業は危険を伴うし、作業が面倒であるが、液状の合成樹脂の中に挿入してから引き揚げる作業は至って簡単である。
【００３３】請求項４のように、釣針の軸部にコーティングした合成樹脂膜の上から釣り糸を巻き付けて結んでなる釣針は、釣針の釣り糸連結部分や軸端側全体が合成樹脂膜で被覆されていて、金属部分が露出しないため、釣った魚が激しい動きをしても、釣り糸が釣針の金属部分と接して擦り切れてしまうといった問題を未然に防止できる。
【図面の簡単な説明】
【図１】本発明による釣針を従来の釣針と比較して示す断面図である。
【図２】瘤状抜け止め付きの釣針に釣り糸を連結した状態であり、（１）は従来例、（２）は本発明の例である。
【図３】Ｔ字状抜け止め付きの釣針に釣り糸を連結した状態であり、（１）は従来例、（２）は本発明の例である。
【図４】釣り糸用の孔付き釣針の要部断面図であり、（１）は従来例、（２）は本発明の例である。
【図５】釣針の釣り糸連結部に液状の合成樹脂で皮膜を形成する方法を例示する断面図であり、（１）は浸漬時、（２）は乾燥時である。
【符号の説明】
１  軸部（釣り糸連結部）
２  合成樹脂製チューブ
３  抜け止め用の瘤部
４  釣り糸
５  合成樹脂皮膜
６  針部分
７  Ｔ字状部
８  孔
９  液状の合成樹脂
【図１】
2004187612.tif 000003
【図２】
2004187612.tif 000004
【図３】
2004187612.tif 000005
【図４】
2004187612.tif 000006
【図５】
2004187612.tif 000007